(57)【要約】【課題】  別々に調製された容器本体と蓋本体とを、接着剤などを一切使用することなしに、安定的に連結保持できる紙製容器を提供する。【解決手段】  四周にそれぞれ所要高さの側壁面を有し、かつ互いに嵌合可能な容器本体２と蓋本体１１とから構成されるものであって、  一方の容器本体２は、底面板３の周縁の一部に複数の切込み８，８，８を有し、他方の蓋本体１１は、側壁面の先端縁に沿って突出形成された、前記切込み８と係合可能な差込み片１６，１６，１６を有し、この差込み片１６を、それぞれ対応する容器本体２の切込み８に差込み、蓋体本体１１と容器本体２を相互に横方向にスライドさせ、前記差込み片１６に形成した各切込みを容器本体２の側壁面と噛み合わせ、各差込み片１６に開閉用のヒンジ機能を付与させて紙製容器１とする。【選択図】      図４
2006151430.tif 000002
【特許請求の範囲】
【請求項１】
四周にそれぞれ所要高さの側壁面を有し、かつ互いに嵌合可能な容器本体と蓋本体とから構成されるものであって、
一方の容器本体は、底面板の周縁の一部に複数の切込みを有し、
他方の蓋本体は、側壁面の先端縁に沿って突出形成された、前記切込みと係合可能な差込み片を有し、
前記蓋本体の差込み片を、それぞれ対応する容器本体の切込みに差込み、蓋体本体と容器本体を相互に横方向にスライドさせ、前記差込み片に形成した各切込みを容器本体の側壁面と噛み合わせ、各差込み片に開閉用のヒンジ機能を付与したこと
を特徴とする紙製容器。
【請求項２】
前記容器本体は、
各側壁面が側壁外面面と側壁内面面とで構成され、前記側壁内面面に連設された折り重ね板の一部が底面板に固着されるとともに、前記切込みから差し込まれた蓋本体の差込み片が、前記底面板と折り重ね板との間に係着保持されるよう構成されていること
を特徴とする請求項１に記載の紙製容器。
【請求項３】
前記容器本体は、
長方形状の底面板の各周縁に沿って折り目を介して側壁外面板が付設されるとともに、その外側に折り目を介して側壁内面板が連設され、これら側壁内面板の外側に折り目を介して底面板への折り重ね板が設けられたもので、前記側壁外面板は、各コーナー部において折込み片７介して相互に連結されるとともに、前記底面板の長手方向に沿ったいずれか一方の側壁外面板との境界線に沿って所要長さの複数の切込みを定間隔で配置形成されていること
を特徴とする請求項1又は２に記載の紙製容器。
【請求項４】
前記容器本体は、
短手方向において対面する一対の側壁内面板と折り重ね板との境界線を形成する折り目のほぼ中央部に、解体の際に用いる指挿入孔が形成され、前記切込みが設けられた側壁外面板と対向する側の側壁外面板および側壁内面板の中央部には、所要の間隔を存してそれぞれ一対の把持具取付用の開口が、側壁外面板に側壁内面板を重ね合わせたとき、各開口が合致するよう形成されたものであること
を特徴とする請求項1〜３のいずれかに記載の紙製容器。
【請求項５】
前記蓋本体は、
長方形状の上面板の各側縁に沿って側壁外面板がそれぞれ折り目を介して連設されるとともに、長手方向に位置する一方側の側壁外面板以外の側壁外面板に折り目を介してそれぞれ側壁内面板が連設されるとともに、各側壁内面板の外側にそれぞれ折り目を介して上面板への折り重ね板が設けられ、前記側壁内面板を形成しなかった側壁外面板の長手方向に沿う側縁部に、前記容器本体に形成された切込みと係合可能な差込み片が対応して形成されていること
を特徴とする請求項１に記載の紙製容器。
【発明の詳細な説明】
【技術分野】
【０００１】
この発明は、紙製容器、より詳しくは、和服や洋服などを収納する扁平直方体状の携帯用に適した紙製衣装箱に関するもので、包装技術に属するものである。
【背景技術】
【０００２】
菓子や食品類、さらには雑貨品など、種々の製品が、紙製容器に収納されて、流通、展示、販売、保管などに供されている。それらの紙製包装用箱は、製品形態に応じて、立方体状、直方体状、円筒状などの形態を有している。
【０００３】
それらの紙製包装用箱は、通常、容器本体と蓋体とから構成されているもので、それらの中には、一枚の板紙などの紙材から、容器本体と蓋体が一体化された状態で調製されるもの、あるいは容器本体と蓋体が別々に調製されて使用されるものが存在し、さらには、別々に調製された容器本体と蓋体を、接着剤などを用いて接合して用いられるものが存在する。
【０００４】
たとえば、特開２０００−３２６９５２号公報（特許文献１）においては、容器本体と蓋体とが一つのブランクから一体的に組み立てられている紙容器として、容器本体の前面が、容器本体の底面から折れ線を介して連設した外前板、額縁板、内前板、下前板を順次折り曲げて断面が四辺形の額縁状に形成され、両側面が、底面から折れ線を介して連設した外側板、額縁板、内側板、下側板を順次折り曲げて断面が四辺形の額縁状に形成されている紙容器が提案されている。
【０００５】
一方、特開平９−２４９２２３号公報（特許文献２）においては、本体と蓋体を別々に調製し、本体と蓋体を貼着して接続した紙容器として、前面板、左右の側面板、後面板、底面板群など、それぞれ折り目線を介して連設して、上方を開放した直方体状に製箱した本体と、また蓋面体、前面蓋板、左右の側面蓋板、後面蓋板などを、それぞれ折り目線を介して連設して、下方を開放した扁平直方体状に製箱した蓋体を、蓋体の後面蓋体の下辺に後面接続片を、折り目線を介して連設して、この後面接続片を後面蓋板の内面側に折込んで、本体の後面板の上部表面に、蓋体の折込んだ後面接続片の表面（内面側）を貼着して接続したヒンジ開閉式の紙箱が提案されている。
【特許文献１】特開２０００−３２６９５２号公報（特許請求の範囲１、図１）
【特許文献２】特開平  ９−２４９２２３号公報  （特許請求の範囲１、図３）
【発明の開示】
【発明が解決しようとする課題】
【０００６】
前記特許文献１及び２で提案されている紙製の容器は、紙箱の調製方法において、本体と蓋体を個別に調製する場合と、一体的に調製する方法が存在するが、それぞれ一長一短を有している。
【０００７】
たとえば、洋服や和服などの衣装を販売する際には、販売した洋服や和服などを、携帯可能な紙箱に収納して、顧客に提供することが多々行われている。その際、紙箱は、その一辺が４０〜８０ｃｍ、深さが５〜１０ｃｍの扁平な直方体状で、それを一枚の板紙などの紙材から、本体と蓋体とを一体化した状態で製箱される。すなわち、特許文献１に記載の方法は、本体と蓋体の組み立て前の展開体が、それぞれかなりの面積を占めるものであるため、実際的ではない。また、本体と蓋体とを個別に調製する特許文献２に記載の方法は、本体と蓋体とを一体化する際に、前記したように蓋体などに設けられた接続片と接着剤を用いて、両者を接合する必要があるので、接着部の位置合わせには、熟練を要し、また、作業にかなりの集中力を要する方法で、改善が求められているものである。
【０００８】
この発明はかかる現状に鑑み、衣装ケースとして使用可能な、扁平かつ直方体状の紙製衣装箱のような紙製容器の合理的な調製方法、特に、紙箱本体と蓋体とを個別に調製し、両者を接合して一体化する方法の合理的な接合方法について鋭意検討を行なった。その結果、蓋体などに設けられる接続片を、複数の凸状体に分割し、その蓋体との連設部に切込みを入れ、その切込みを本体の側壁面に噛み合わせることで、上記目的が達成されることを見出し、この発明を完成したものである
【課題を解決するための手段】
【０００９】
すなわち、この発明の請求項１に記載の発明は、
四周にそれぞれ所要高さの側壁面を有し、かつ互いに嵌合可能な容器本体と蓋本体とから構成されるものであって、
一方の容器本体は、底面板の周縁の一部に複数の切込みを有し、
他方の蓋本体は、側壁面の先端縁に沿って突出形成された、前記切込みと係合可能な差込み片を有し、
前記蓋本体の差込み片を、それぞれ対応する容器本体の切込みに差込み、蓋体本体と容器本体を相互に横方向にスライドさせ、前記差込み片に形成した各切込みを容器本体の側壁面と噛み合わせ、各差込み片に開閉用のヒンジ機能を付与したこと
を特徴とする紙製容器である。
【００１０】
また、この発明の請求項２に記載の発明は、
請求項１に記載の紙製容器において、
前記容器本体は、
各側壁面が側壁外面面と側壁内面面とで構成され、前記側壁内面面に連設された折り重ね板の一部が底面板に固着されるとともに、前記切込みから差し込まれた蓋本体の差込み片が、前記底面板と折り重ね板との間に係着保持されるよう構成されていること
を特徴とするものである。
【００１１】
また、この発明の請求項３に記載の発明は、
請求項1又は２に記載の紙製容器において、
前記容器本体は、
長方形状の底面板の各周縁に沿って折り目を介して側壁外面板が付設されるとともに、その外側に折り目を介して側壁内面板が連設され、これら側壁内面板の外側に折り目を介して底面板への折り重ね板が設けられたもので、前記側壁外面板は、各コーナー部において折込み片７介して相互に連結されるとともに、前記底面板の長手方向に沿ったいずれか一方の側壁外面板との境界線に沿って所要長さの複数の切込みを定間隔で配置形成されていること
を特徴とするものである。
【００１２】
また、この発明の請求項４に記載の発明は、
請求項1〜３のいずれかに記載の紙製容器において、
前記容器本体は、
短手方向において対面する一対の側壁内面板と折り重ね板との境界線を形成する折り目のほぼ中央部に、解体の際に用いる指挿入孔が形成され、前記切込みが設けられた側壁外面板と対向する側の側壁外面板および側壁内面板の中央部には、所要の間隔を存してそれぞれ一対の把持具取付用の開口が、側壁外面板に側壁内面板を重ね合わせたとき、各開口が合致するよう形成されたものであること
を特徴とするものである。
【００１３】
また、この発明の請求項５に記載の発明は、
請求項１に記載の紙製容器において、
前記蓋本体は、
長方形状の上面板の各側縁に沿って側壁外面板がそれぞれ折り目を介して連設されるとともに、長手方向に位置する一方側の側壁外面板以外の側壁外面板に折り目を介してそれぞれ側壁内面板が連設されるとともに、各側壁内面板の外側にそれぞれ折り目を介して上面板への折り重ね板が設けられ、前記側壁内面板が形成されなかった側壁外面板の長手方向に沿う側縁部に、前記容器本体に形成された切込みと係合可能な差込み片が対応して形成されていること
を特徴とするものである。
【００１４】
また、この発明の請求項６に記載の発明は、
請求項１又は５に記載の紙製容器において、
前記蓋本体は、
前記各差込み片が、側壁外面板と連設する一方側端部に切込みがそれぞれ形成され、長手方向に沿う反対側に形成された側壁外面板と側壁内面板とには、それぞれ重ね合ったとき、互いに合致するよう、それぞれ把持部取付用の開口が形成されていること
を特徴とするものである。
【発明の効果】
【００１５】
この発明の紙製容器は、容器本体を形成する側壁と底面板との連設部の一部に、複数の切込みを形成し、この切込みと係着する差込み片を、蓋本体を形成する一部の側壁の上縁部に沿って突出形成し、前記蓋本体の差込み片を容器本体の切込みにそれぞれ係着させることによって、各差込み片を蓋開閉用のヒンジとしたので、容器本体と蓋本体との接合に接着剤を使用する必要がなく、両者を支障なく結合することができ、かつ蓋開閉用のヒンジ機能も何の支障もなく発揮するものである。
【００１６】
特に、この発明においては、容器本体を形成する側壁を、側壁外面板と側壁内面板とで構成し、各側壁内面板に連設して折り重ね板を付設し、蓋本体の差込み片を容器本体に形成した切込みにそれぞれ係着させるに際し、各差込み片を底面板と前記折り重ね板間に係着保持させるよう構成することによって、容器本体と蓋本体との係着を安定的に保持させることができる。
【００１７】
また、各差込み片の端部に切込みを形成することによって、各差込み片を容器本体の切込みに差し込んだ後、蓋本体または容器本体を横方向にスライドさせ、差込み片の切込みを容器本体の側壁面に噛み合わせ、調整することによって、簡単かつ容易に紙製容器を調製することが可能で、接着剤の位置合わせという、熟練とかなりの集中力を要する作業を不要とすることができる。
【００１８】
さらに、接着剤の適用箇所を大幅に減らすことができるので、不要になって廃棄する際に、紙製容器の解体がそれだけ容易になるという効果も奏するものである。
【発明を実施するための最良の形態】
【００１９】
以下、この発明にかかる紙製容器の実施の形態を、添付の図面に基づいて具体的に説明するが、この発明の紙製容器は、衣装用だけでなく、種々の製品を収容するに適した、種々の形状の紙箱に適用されるもので、発明の要旨を変更しない範囲内において種々を加えることができるものである。
【００２０】
図１は、この発明にかかる紙製容器における容器本体のブランクの平面図、図２は、同じく蓋体のブランクの平面図である。図３は、図２における蓋体の部分拡大図、図４は、組み立てられた本体と蓋体の斜視図、図５は、本体と蓋体の結合方法、蓋体の開閉動作の概念を示した説明図である。
【００２１】
この発明の紙製容器１は、図１に示すように、容器本体２と、この容器本体２に装着される蓋本体１１とから構成されるものである。
【００２２】
一方の容器本体２は、図２で明らかなように、長方形状の底面板３の各辺に点線で表示する折り目を介して側壁外面板４，４，４，４を付設されるとともに、その外側に折り目を介して側壁内面板５，５，５，５が連設され、これら側壁内面板５，５，５，５の外側に折り目を介して底面板２への折り重ね板６，６，６，６が設けられたもので、前記側壁外面板４，４，４，４は、各コーナー部において折込み片７を介して相互に連結して構成されるものである。
【００２３】
その際、この発明においては、底面板３の長手方向に沿った側縁、すなわち、側壁外面板４との境界線の一方に沿って所要長さの複数の切込み８，８，８，を定間隔で配置形成するとともに、短手方向において対面する一対の側壁内面板５，５と折り重ね板６，６，６，６との境界線を形成する折り目のほぼ中央部に、解体の際に用いる指挿入孔９，９を形成したものである。さらに、前記切込み８が設けられた側壁外面板４と対向する側の側壁外面板４と側壁内面板５の中央部には、所要の間隔を存してそれぞれ一対の把持具取付用の開口１０ａ，１０ａと開口１０ｂ，１０とを、重ね合わせたとき、各開口１０ａと１０ｂが合致するよう形成したものである。
【００２４】
なお、図１において、ハッチングが施された箇所は、容器本体２の組立てに際して接着剤が施される糊代部を示している。
【００２５】
他方の蓋本体１１は、図３で明らかなように、長方形状の上面板１２の各側縁に沿って側壁外面板１３，１３，１３，１３がそれぞれ折り目を介して連設されるとともに、長手方向に位置する一方側の側壁外面板１３以外の側壁外面板１３，１３，１３に折り目を介してそれぞれ側壁内面板１４，１４，１４が連設され、これら側壁内面板１４，１４，１４の外側にそれぞれ折り目を介して上面板１２への折り重ね板１５，１５，１５が設けられたものである。
【００２６】
その際、この発明においては、側壁内面板１４を形成しなかった側壁外面板１３の長手方向に沿う側縁部に、前記容器本体２に形成された切込み８，８，８と係合可能な差込み片１６，１６，１６を対応させて形成するとともに、各差込み片１６が側壁外面板１３と連設する一方側端部に切込み１７をそれぞれ形成したものである。また、長手方向に沿う反対側に形成された側壁外面板１３と側壁内面板１４とには、それぞれ重ね合ったとき、互いに合致するよう、それぞれ把持部取付用の開口１８，１８を形成したものである。
【００２７】
また、短辺側に形成した側壁外面板１３，１３の一方端、具体的には、前記開口１８が形成された側壁外面板１３とのコーナー部は、折込み片１９，１９によって長手方向の側壁外面板１３と相互に連結されたもので、これら折込み片１９と反対側の側壁外面板１３とのコーナー部には、それぞれ折り目線を介して補強片２０，２０が一体的に連設されたものである。
【００２８】
なお、図３において、ハッチングが施された箇所は、図２と同様に、蓋本体１１の組立てに際して接着剤が施される糊代部を示している。
【００２９】
また、前記切込み１７は、図４で明らかなように、差込み片１６を容器本体２の側壁外面板３に形成した切込み８に差込みながら係合させるに際し、適宜横方向にスライドさせながら行うのに必要なもので、その切込み幅は、側壁外面板３の厚みと同等とされ、その切込み深さ、および、設置の数は、接続片１６の強度、紙箱全体の形状などを考慮して決定されるものである。
【００３０】
かかる構成を有する容器本体２および蓋本体１１は、いずれも図２ないし図３に示したハッチング部に接着剤を塗布したのち、一枚のブランクを、点線で表示した折り目線は谷折りに、破線で表示した折り目線は山折りすることによって組み立てて図１に示す容器本体２と、蓋本体１１に成形するものである。
【００３１】
かくして形成された容器本体２と蓋本体１１は、図５（ａ）に示すように、水平に配置された容器本体２に対し、蓋本体１１を、容器本体２に形成された切込み８，８，８に差込み片１６，１６，１６が相対するようにして配置したのち、図５（ｂ）に示すように、前記差込み片１６，１６，１６をそれぞれ相対する容器本体２の切込み８，８，８内に差込みながら係合させたのち、容器本体２と蓋本体１１を横方向にスライドさせ、差込み片１６の切込み１７を容器本体２の側壁面に噛み合わせる。
【００３２】
この噛み合わせによって、容器本体２と蓋本体１１は一体化するので、側壁外面板１３および側壁内面板１４からなる側壁面と係合する前記差込み片１６をヒンジとし、図５（ｃ）に示すように、容器本体２に蓋本体１１を係着させて紙製容器１とするものであるが、前記容器本体２を構成する側壁内面板１４に折り重ね板６が一体的に形成され、かつこの折り重ね板６と底面板３とが接着剤で固着されない部位に前記差込み片１６が挿入されるので、各差込み片１６は底面板３との間に安定して係着保持され、底面板３と一体化するので、ヒンジ部が強化され、繰り返しの使用に耐えることができる。
【産業上の利用可能性】
【００３３】
この発明の紙製容器は、個別に調製された容器本体と蓋本体を、蓋本体に設けられた差込み片に切込みを設け、この切込みで、容器本体と蓋本体を一体化するヒンジ機能を付与したもので、紙製容器の調製が一段と簡易化されたため、包装容器として、幅広く、各種産業で使用され可能性の高いものである。
【図面の簡単な説明】
【００３４】
【図１】この発明にかかる紙製容器の分解斜視図である。
【図２】この発明の紙製容器を構成する容器本体のブランクを示す展開図である。
【図３】この発明の紙製容器を構成する蓋本体のブランクを示す展開図である。
【図４】前記図３の要部の部分拡大図である。
【図５】この発明の容器本体と蓋本体の組立て行程を示す説明図で、（ａ）は組立て前を、（ｂ）は蓋本体の差込み片を容器本体の切込みに係着させた状態を、（ｃ）は蓋本体を容器本体に嵌合させた完成状態を示す。
【符号の説明】
【００３５】
１        紙製容器
２        容器本体
３        容器本体の底面板
４        容器本体の側壁外面板
５        容器本体の側壁内面板
６        折り重ね板
７        折込み片
８        切込み
９        指挿入孔
10ａ，10ｂ  把持具取付用開口
１１        蓋本体
１２        上面板
１３        蓋本体の側壁外面板
１４        蓋本体の側壁内面板
１５        折り重ね板
１６        差込み片
１７        切込み
１８        把持具取付用の開口
【図１】
2006151430.tif 000003
【図２】
2006151430.tif 000004
【図３】
2006151430.tif 000005
【図４】
2006151430.tif 000006
【図５】
2006151430.tif 000007